(57)【要約】【課題】ポータルサイト等のサーバから広告情報をダウンロードして、パーソナルコンピュータ等の通信端末器に効果的に表示し、かつ、パーソナルコンピュータのＯＳへのログインで確実にユーザを認証する。【解決手段】通信端末器１を、準備記憶したＯＳを起動させる端末器本体１１と、この端末器本体に接続された電子装置１２とで構成し、端末器本体１１がＯＳを起動させている間に、電子装置１２によって、少なくとも、サーバ２ａから広告情報３０ａをダウンロードして所定の認証画面３０に含ませて表示させ、かつ、ユーザの生体認証を開始し、その後、起動したＯＳによって、生体認証が終了するまでは、認証画面３０のままＯＳのログインを禁止し、生体認証したユーザをログインさせるソフトウェアを実行する。【選択図】図４
2007178625.tif 000002
【特許請求の範囲】
【請求項１】
広告情報を準備記憶したサーバと、そのサーバから広告情報をダウンロードして画面表示する通信端末器とを用いる広告表示方法において、
上記通信端末器を、準備記憶したＯＳを起動させる端末器本体と、この端末器本体に接続された電子装置とで構成し、
上記端末器本体が上記ＯＳを起動させている間に、上記電子装置によって、少なくとも、上記サーバから広告情報をダウンロードして所定の認証画面に含ませて表示させ、かつ、ユーザの生体認証を開始し、その後
起動した上記ＯＳによって、上記生体認証が終了するまでは、上記認証画面のまま上記ＯＳのログインを禁止し、生体認証したユーザをログインさせるソフトウェアを実行することを特徴とする広告表示方法。
【請求項２】
広告情報を準備記憶したサーバと、そのサーバから広告情報をダウンロードして画面表示する通信端末器とで構成されるネットワーク広告表示システムにおいて、
上記通信端末器は、
ネットワーク通信手段と、表示手段と、拡張用機器を着脱自在に接続する機器接続部とを有し、準備記憶したＯＳを起動させる端末器本体と、
上記機器接続部に接続された携帯型電子装置とで構成され、
上記携帯型電子装置は、
認証用データを予め登録した生体認証手段と、
上記端末器本体が電源投入され、上記ＯＳを起動させている間に、少なくとも、上記ネットワーク通信手段と、上記表示手段とを独自に制御することにより、上記サーバから広告情報をダウンロードして所定の認証画面に含ませて表示させ、かつ、ユーザの生体認証を開始する端末器制御手段と、
上記ＯＳが起動直後に実行し、上記生体認証が終了するまでは、上記認証画面のまま上記ＯＳのログインを禁止し、生体認証したユーザをログインさせるログイン制御ソフトウェアを記憶した記憶手段とを備えることを特徴とするネットワーク広告表示システム。
【請求項３】
請求項２において、
上記端末器本体は、操作手段を更に有し、
上記端末器制御手段は、上記認証画面に含まれる広告情報のいずれかが上記操作手段によって選択されたときには、選択された広告情報を記憶し、
上記ログイン制御ソフトウェアは、生体認証したユーザが上記ＯＳにログインしたあと、上記選択された広告情報に関連するホームページを所定のブラウザよって表示させることを特徴とするネットワーク広告表示システム。
【請求項４】
請求項２または３において、
上記端末器制御手段は、上記サーバから広告情報をダウンロードする際に、ユーザ毎に異なる識別情報を通知し、
上記サーバは、上記広告情報をジャンル毎に準備記憶し、かつ
各ユーザが予め選択したジャンルを上記識別情報に対応させて保存しており、
通知された上記識別情報に基づいて、そのユーザが予め選択したジャンルの広告情報をダウンロードさせることを特徴とするネットワーク広告表示システム。
【請求項５】
請求項４において、
上記サーバは、上記ユーザが予め選択したジャンルの広告情報をダウンロードさせる動作を許可／禁止する設定を、各ユーザに対して予め設定記憶していることを特徴とするネットワーク広告表示システム。 
【請求項６】
広告情報を準備記憶したサーバと、そのサーバから広告情報をダウンロードして画面表示する通信端末器とで構成されるネットワーク広告表示システムにおいて、
上記通信端末器は、
ネットワーク通信手段と、表示手段と、生体認証手段と、記憶手段とを備え、
上記記憶手段には、
上記通信端末器が電源投入されたあと、上記ネットワーク通信手段と、上記表示手段とを制御することにより、上記サーバから広告情報をダウンロードして所定の認証画面に含ませて表示させ、かつ、ユーザの生体認証を開始させてから、上記通信端末器のＯＳを起動させる端末器制御ソフトウェアと、
上記ＯＳが起動直後に実行し、上記生体認証が終了するまでは、上記認証画面のまま上記ＯＳのログインを禁止し、生体認証したユーザをログインさせるログイン制御ソフトウェアを記憶していることを特徴とするネットワーク広告表示システム。
【発明の詳細な説明】
【技術分野】
【０００１】
本発明は、広告情報を準備記憶しているサーバから広告情報をダウンロードして通信端末器に表示させるネットワーク広告表示システムに関する。
【背景技術】
【０００２】
今時、パーソナルコンピュータは家庭の中に浸透しており、インターネットにより様々なホームページを閲覧することが一般的になっている。そのような事情から、ニュースの提供、ホームページ検索機能、掲示板、ＷＥＢメールなどのサービスなどをホームページとしてユーザに無償で提供する一方、そのホームページに契約事業者の広告バナーを表示して、広告収入を得るポータルサイトも多数運営されている。そのようなポータルサイトとしては、Ｙａｈｏｏ！Ｊａｐａｎ（商標登録）、ＭＳＮ（商標登録）などが有名で、ＷＥＢブラウザのスタートページに設定しているユーザも多い。
【０００３】
このようなポータルサイトでは、ユーザを囲い込むために、予め個人情報を登録したユーザに対してのみメール等の特定サービス提供するが、その際には、専用のログインページ等にユーザＩＤやパスワード等を入力させることでユーザ認証をしている。更に、ポータルサイトがネットオークションや、ショッピングモール等を運営している場合には、そのようなユーザ認証を受けたユーザだけが、それらを利用できる仕組みになっている。
【０００４】
なお、携帯電話等のネットワークシステムで広告を配信する技術として、次の特許文献１には、情報提供サーバは、無線基地局を介して、様々な内容のコンテンツに広告情報を含めて定期的に配信する一方、利用者管理サーバは、各無線端末器の広告情報に対する視聴時間を管理し、その視聴時間に応じて、その無線端末器の通信料金を割引くことが記載されている。
【特許文献１】特開２００１−２１６２６３号公開公報
【発明の開示】
【発明が解決しようとする課題】
【０００５】
ところが、上記のような従来のポータルサイトでは、ホームページに表示させる広告バナーをユーザ毎にカスタマイズする方法が実現されていないため、各ユーザに対して、広告をより効果的に表示する仕組みが求められていた。
【０００６】
また、昨今のＷＥＢブラウザは、ログイン画面等で入力すべきユーザＩＤやパスワードを記憶し、再現する機能を有しているので、この機能が有効になったパーソナルコンピュータでは、たとえ別人であっても、一旦そのパーソナルコンピュータのＯＳにログインさえできれば、ポータルサイトにアクセスし、ユーザＩＤやパスワードを入力しなくても、ユーザ認証を通過できるという問題があった。
【０００７】
なお、Ｗｉｎｄｏｗｓ（登録商標）等のＯＳには、ユーザＩＤとパスワードを要求する認証機能が備えられているが、その機能を利用していないユーザも多い。また、パーソナルコンピュータのＯＳへのログインをＵＳＢキー等などで自動化する方法もあるが、ＵＳＢキーの導入には費用がかかるため、広く普及してはいない。
【課題を解決するための手段】
【０００８】
そこで本発明は、ポータルサイト等のサーバから広告情報をダウンロードして、パーソナルコンピュータ等の通信端末器に効果的に表示し、かつ、パーソナルコンピュータのＯＳへのログインで確実にユーザを認証する仕組みを提供することを目的として、次のような方法、システムを提案する。
【０００９】
すなわち、請求項１では、広告情報を準備記憶したサーバと、そのサーバから広告情報をダウンロードして画面表示する通信端末器とを用いる広告表示方法において、通信端末器を、準備記憶したＯＳを起動させる端末器本体と、この端末器本体に接続された電子装置とで構成し、端末器本体がＯＳを起動させている間に、電子装置によって、少なくとも、サーバから広告情報をダウンロードして所定の認証画面に含ませて表示させ、かつ、ユーザの生体認証を開始し、その後、起動したＯＳによって、生体認証が終了するまでは、認証画面のままＯＳのログインを禁止し、生体認証したユーザをログインさせるソフトウェアを実行する。
【００１０】
請求項２では、請求項１の方法を採用したシステムを提案する。すなわち、広告情報を準備記憶したサーバと、そのサーバから広告情報をダウンロードして画面表示する通信端末器とで構成されるネットワーク広告表示システムにおいて、通信端末器は、ネットワーク通信手段と、表示手段と、拡張用機器を着脱自在に接続する機器接続部とを有し、準備記憶したＯＳを起動させる端末器本体と、機器接続部に接続された携帯型電子装置とで構成され、携帯型電子装置は、認証用データを予め登録した生体認証手段と、端末器本体が電源投入され、ＯＳを起動させている間に、少なくとも、ネットワーク通信手段と、表示手段とを独自に制御することにより、サーバから広告情報をダウンロードして所定の認証画面に含ませて表示させ、かつ、ユーザの生体認証を開始する端末器制御手段と、ＯＳが起動直後に実行し、生体認証が終了するまでは、認証画面のまま上記ＯＳのログインを禁止し、生体認証したユーザをログインさせるログイン制御ソフトウェアを記憶した記憶手段とを備える。
【００１１】
請求項３では、請求項２において、端末器本体は、操作手段を更に有し、端末器制御手段は、認証画面に含まれる広告情報のいずれかが操作手段によって選択されたときには、選択された広告情報を記憶し、ログイン制御ソフトウェアは、生体認証したユーザがＯＳにログインしたあと、選択された広告情報に関連するホームページを所定のブラウザよって表示させる。
【００１２】
請求項４では、請求項１または２において、端末器制御手段は、サーバから広告情報をダウンロードする際に、ユーザ毎に異なる識別情報を通知し、サーバは、広告情報をジャンル毎に準備記憶し、かつ各ユーザが予め選択したジャンルを識別情報に対応させて保存しており、通知された識別情報に基づいて、そのユーザが予め選択したジャンルの広告情報をダウンロードさせる。ここで、識別情報には、携帯型電子装置の製品ＩＤ、サーバに対するユーザＩＤ等を用いることができる。
【００１３】
請求項５では、サーバは、ユーザが予め選択したジャンルの広告情報をダウンロードさせる動作を許可／禁止する設定を、各ユーザに対して予め設定記憶している。
【００１４】
請求項６では、上記端末器本体と電子装置とが一体として構成され、通信端末器は、ネットワーク通信手段と、表示手段と、記憶手段とを有し、この記憶手段には、生体認証手段と、通信端末器が電源投入されたあと、ネットワーク通信手段と、表示手段とを制御することにより、サーバから広告情報をダウンロードして所定の認証画面に含ませて表示させ、かつ、ユーザの生体認証を開始させてから、通信端末器のＯＳを起動させる端末器制御ソフトウェアと、ＯＳが起動直後に実行し、生体認証が終了するまでは、認証画面のままＯＳのログインを禁止し、生体認証したユーザをログインさせるログイン制御ソフトウェアを記憶している。
【発明の効果】
【００１５】
請求項１によれば、携帯型電子装置は、端末器本体であるパーソナルコンピュータ等が準備記憶しているＯＳを起動させる動作をしている間に、そのネットワーク通信手段や表示手段を独自に制御して、ポータルサイト等のサーバから広告情報をダウンロードし、所定の認証画面に含ませて表示し、その認証画面に従ってユーザが認証を受ければ、そのユーザをＯＳにログインさせている。従来、ＯＳを起動させる動作の間は、ユーザはただ待っているだけであったので、そのときに広告情報を表示すれば、ユーザの関心を確実に引くことができる。また、その間にユーザ認証も実行しているので、ＯＳが起動すれば、ユーザＩＤやパスワードを入力すること無しに直ちにログインでき、ユーザの手間も省くことができる。更に、このユーザの生体認証は、ＯＳが起動する前に実行されるので、フィッシング等の不正アクセスに対しても強靱である。
【００１６】
そして、ユーザの関心を引くことで広告効果が高くなれば、ポータルサイトの収入も上がることが予測されるが、そうなれば、ポータルサイトでは、この携帯型電子装置のコストの一部ないし全部を負担して登録ユーザに配布するサービスも可能になる。パーソナルコンピュータでＯＳの認証を自動化するＵＳＢキーが市販されていることからも想像がつくように、ログインを自動化する認証装置に対する潜在的な要望は高く、このようなサービスの提供は、ユーザの囲い込みにも大いに役立つ。
【００１７】
また、端末器本体にノート型パーソナルコンピュータ等（モバイル型端末器）を利用している場合には、端末器本体が紛失、または盗難される可能性がある。しかし、本発明によれば、ユーザ本人だけしか携帯型電子装置で生体認証されず、ＯＳにログインできないので、端末器本体に保存している個人情報等が他人に漏洩する虞がない。なお、（のＯＳには、特定のユーザのファイルを暗号化する機能があり、ユーザがログインしない限り、例えハードディスクを取り外して解析しても、その暗号化を解除できないようにする機能を有しているので、この機能も併用すれば、更に安全性が高くなる。
【００１８】
請求項２によれば、請求項１の方法を採用したシステムなので、同様の効果が期待できる。また、特に請求項３によれば、認証画面に含まれる広告情報のいずれかが、マウス等の操作手段によって選択されたときには、ユーザがＯＳにログインしたあと、選択された広告情報に関連するホームページを所定のＷＥＢブラウザよって自動的に表示させるので、ユーザはその広告情報について直ちに詳細な情報を得ることができ、その一方、広告情報に関連するホームページを表示させるというポータルサイト側の目的も同時に達成される。
【００１９】
特に請求項４、５によれば、ユーザの指向に合ったジャンルの広告情報が表示されるので、広告効果が一層高くなる。このように、本発明は、ユーザ、ポータルサイトのいずれにも利益がある。
【００２０】
請求項６によれば、通信端末器に生体認証手段を一体的に備えたので、端末器本体、携帯型電子装置をそれぞれ別体に構成した場合よりも、製造コストを下げることができる。また、通信端末器が紛失、または盗難されても、ユーザ本人だけしか携帯型電子装置では生体認証されないため、保存している個人情報等が他人に漏洩する虞もない。
【発明を実施するための最良の形態】
【００２１】
ここに、本発明を実施するための最良の形態を図に従って説明する。
図１は、本発明によるネットワーク広告表示システムＳの基本構成を示すブロック図である。
【００２２】
このシステムＳは、ユーザが所有する通信端末器１と、この通信端末器１に広告情報３０ａをダウンロードさせる広告サーバ２ａを有したポータルサイト２とを、インターネット等のネットワークＮで接続した基本構成を有し、ポータルサイト２は、広告サーバ２ａ以外にも、Ｗｅｂサーバ２ｂや、アプリケーションサービスサーバ２ｃ等を有している。
【００２３】
通信端末器１は、端末器本体１１として、Ｗｉｎｄｏｗｓ（登録商標）に対応したパーソナルコンピュータに、以下で説明する携帯型電子装置１２を接続したものを例示しているが、端末器本体１１としては、別のＯＳ、例えば、Ｍａｃｉｎｔｏｓｈ（商標登録）、Ｌｉｎｕｘ（商標登録）、それらの各国版ＯＳで動作するパーソナルコンピュータ、または、ＰＤＡ、携帯電話機などを採用してもよい。
【００２４】
図示した端末器本体１１は、デスクトップ型パーソナルコンピュータを例として示しており、ほぼ規格化された基本構成になっている。すなわち、ソフトウェアを実行するＣＰＵ１１ａと、ＣＰＵコントローラ１１ｂと、主記憶であるＲＡＭ１１ｃと、内部バスＢを制御するバスコントローラ１１ｄと、バイオスプログラム等を格納したＲＯＭ１１ｅと、ＵＳＢ規格等に対応し、外部機器接続部Ｔ１を有する拡張インタフェース１１ｆと、ＯＳや、その他ソフトウェアを格納したハードディスク１１ｇを付加したストレージコントローラ１１ｈと、キーボード１１ｉやマウス１１ｊ等で構成される操作手段を付加したＩ／Ｏコントローラ１１ｋと、液晶表示装置１１ｌ等で構成される表示手段を付加し、ビデオメモリ１１ｍを有するビデオコントローラ１１ｎと、スピーカＳＰやマイクＭＣ等で構成される音声手段を付加したサウンドコントローラ１１ｐと、ネットワーク通信手段としてネットワークＮに接続するネットワークコントローラ１１ｑとを備えている。なお、バスコントローラ１１ｄは、バスＢに接続している各コントローラがバスマスタになれるＤＭＡをサポートしている。
【００２５】
携帯型電子装置１２は、ポータルサイト２を運営する事業者がユーザに提供するもので、ＵＳＢ等の接続端子Ｔ２を有し、端末器本体１１の拡張インタフェース１１ｆと通信するインタフェース１２ａと、フラッシュＲＯＭ等の書換可能な不揮発性メモリで構成されたプログラムメモリ１２ｂと、ユーザを生体認証する生体認証手段１２ｃと、ＬＥＤ等により状態を表示する表示部１２ｄと、生体認証手段１２ｃや表示部１２ｄを制御するＭＣＵ１２ｅと、ワークエリアとなるＲＡＭ１２ｆとを備えている。なお、インタフェース１２ａは、独自規格の通信手順により、端末器本体１１と通信するようにしてもよいが、そのためには、端末器本体１１の拡張インタフェース１１ｆを、その独自規格に対応させておく必要がある。
【００２６】
図２（ａ）、（ｂ）は、それぞれ携帯型電子装置１２の２通りの形状を示す外観図で、このうち（ａ）は、接続端子Ｔ２が、本体部からケーブルＷによって導出されたものを示し、（ｂ）は、接続端子Ｔ２が、本体部先端に一体的に形成されており、接続端子Ｔ２を保護するキーホルダー状のカバー１２ｇを有したものを示している。どちらのものにも、本体部上面には、生体認証手段１２ｃのセンサ部と、表示部１２ｄのＬＥＤ等で構成された表示ランプとが設けられている。
【００２７】
プログラムメモリ１２ｂには、携帯型電子装置１２を、端末器本体１１が電源投入され、準備記憶しているＯＳを起動させている間、インタフェース１２ａを通じて、少なくとも、ネットワークコントローラ１１ｑと、ビデオコントローラ１１ｎとを制御する端末器制御手段として動作させるための端末器制御ソフトウェアや、所定の認証画面データ、生体認証データ、製品ＩＤ、ユーザＩＤ等が記憶されている。
【００２８】
端末器制御手段としての動作は、端末器本体１１の電源投入後、拡張インタフェース１１ｆの初期化を監視し、それを検出したときに開始され、インタフェース１２ａを通じて、端末器本体１１のネットワークコントローラ１１ｑやビデオコントローラ１１ｎ等を、拡張インタフェース１１ｆによって直接制御する。そのためには、拡張インタフェース１１ｆをバスマスタとして機能させる必要がある。そして、その直接制御によって、広告サーバ２ａから広告情報３０ａをダウンロードし、その広告情報３０ａを含ませた所定の認証画面３０を表示させる。また、それと同時に、生体認証手段１２ｃを起動してユーザの生体認証も開始させる。その後は、起動させられたＯＳによる拡張インタフェース１１ｆの初期化を監視し、その初期化を検出したときには、端末器制御手段としての動作を終了する。
【００２９】
プログラムメモリ１２ｂには、ＯＳが起動直後に実行し、基本動作として、生体認証が終了するまでは、認証画面３０のままＯＳのログインを禁止し、生体認証したユーザをログインさせるログイン制御ソフトウェアも更に記憶されている。すなわち、ログイン制御ソフトウェアは、ＯＳのログイン画面を、スクリーンセーバのように、認証画面３０で覆い隠した状態で、定期的に携帯型電子装置１２から生体認証の結果を読み出し、成功の認証結果を取得したときには、ユーザをＯＳにログインさせる。このソフトウェアを自動実行させるには、携帯型電子装置１２は、ＯＳによって外部記憶装置として認識される必要があり、かつ、認識されたドライブには、ログイン制御ソフトウェアが、正しく設定された自動実行設定ファイル（ａｕｔｏｒｕｎ．ｉｎｆ等）と共に適切に配置されていなければならない。
【００３０】
上記端末器制御手段、ログイン制御ソフトウェアの動作の別例を更に説明する。
端末制御手段としての動作では、更に、Ｉ／Ｏコントローラ１１ｋを直接制御して、認証画面３０に含まれる広告情報３０ａのいずれかがマウス１１ｊによって選択されたときには、その選択を検出してＲＡＭ１２ｆに記憶しておく。一方、ログイン制御ソフトウェアは、ユーザをＯＳにログインさせた直後に、その選択の記憶を参照し、規定のＷＥＢブラウザを起動させて、その広告情報３０ａに関連するホームページを表示させる。そのためには、広告情報３０ａに、関連するホームページのＵＲＬを含めておく必要がある。
【００３１】
また、更に別例として、広告サーバ２ａから広告情報３０ａをダウンロードする際に、ユーザ毎に異なる識別情報を通知するようにすることも考えられる。この場合、広告サーバ２ａでは、広告情報３０ａを様々なジャンル毎に準備記憶し、かつ、各ユーザがポータルサイト２の所定の会員登録ページにおいて、予め選択したジャンルを、所定の識別情報、例えば、ユーザに提供した携帯型電子装置１２の製品ＩＤや、ポータルサイト２がユーザ毎に割当てたユーザＩＤなどに対応させて保存しておく。そして、広告情報３０ａをダウンロードさせる際には、通知された識別情報に基づいて、そのユーザが予め選択したジャンルの広告情報３０ａを検索し、ユーザの指向にあった広告情報３０ａを提供する。
【００３２】
なお、広告サーバ２ａでは、そのような広告情報３０ａを検索してダウンロードさせる動作に対する許可／禁止の設定を、各ユーザに対して予め設定記憶しておいてもよい。そうすると、所望のジャンルを選択登録しているユーザには、そのジャンルの広告情報３０ａをダウンロードさせる一方、そうでないユーザには、ランダムに選択したジャンルの広告情報３０ａをダウンロードさせるというような動作も可能になる。
【００３３】
更に別例として、予備の広告情報をプログラムメモリ１２ｂに準備しておき、最初に表示する認証画面３０には、その予備の広告情報を用い、その後、広告サーバ２ａから広告情報３０ａが無事にダウンロードできたときには、その広告情報３０ａを含む認証画面３０に更新するようにしてもよい。このようにすれば、広告サーバ２ａが稼働していない場合でも、予備の広告情報だけは表示できる。
【００３４】
図３は、ポータルサイト２の構成の一例を示すブロック図である。このポータルサイト２は、互いに連携して動作する広告サーバ２ａや、Ｗｅｂサーバ２ｂや、アプリケーションサーバ２ｃ等が互いにＬＡＮで接続され、ゲートウェイ２ｄを通じて、ネットワークＮと接続した基本構成になっている。
【００３５】
広告サーバ２ａは、広告主である契約事業者が提出した広告情報３０ａを蓄積する広告情報データベースＤＢを備え、その広告情報３０ａをダウンロードさせる配信サーバソフトウェア（Ｓ１）を稼働させている。Ｗｅｂサーバ２ｂでは、ポータルサイト２のコンテンツとなるホームページを提供するＨＴＴＰＤ（Ｓ２）等が稼働しており、そのホームページには、ユーザの個人情報等を登録する会員登録ページも含まれている。また、アプリケーションサーバ２ｃでは、ポータルサイト２の検索機能等を実現するための検索ソフトウェア（Ｓ３）や、メールサーバ（Ｓ４）等のアプリケーションソフトウェアが稼働している。なお、Ｗｅｂサーバ２ｂは、提携事業者向けのサービスホームページを更に提供し、それを通じて、広告情報３０ａをアップロードさせてもよい。
【００３６】
上記会員登録ページにおけるユーザ登録を説明すると、住所、氏名等の個人情報を登録したユーザには、ポータルサイト２の運営事業者が携帯型電子装置１２に、導入用ソフトウェアを記録したＣＤ等のメディアを添付して送付する。ユーザがその導入用ソフトウェアを端末器本体１１で実行すると、指紋登録画面が表示されるので、携帯型電子装置１２を端末器本体１１に接続し、指紋登録画面のガイドに従って、指紋を登録する。登録した生体認証データ（指紋）は、携帯型電子装置１２に送信され、プログラムメモリ１２ｂに記憶される。また、このとき、端末器本体１１のＯＳに対するユーザＩＤや、パスワード等の認証データも、携帯型電子装置１２に登録する。このような登録が完了すると、この携帯型電子装置１２の製品ＩＤが、ポータルサイト２に対するユーザＩＤと共にポータルサイト２に送信され、図示しない登録ユーザデータベースに保存されているそのユーザの個人情報に付加される。なお、ＣＤ等のメディアで導入ソフトウェアを配布する替わりに、会員登録ページ上で、同様の処理を実行できるようにしてもよい。その際には、ホームページから、アクティブＸ等で記述された実行プログラムをダウンロードさせ、登録処理を実行させることができる。
【００３７】
次いで、このシステムＳの基本的な広告表示動作を図に従って説明する。
図４（ａ）は、通信端末器１と広告サーバ２ａの連携した動作を説明するフロー図、図４（ｂ）は、認証画面３０の例を示す図である。このフロー図では、端末器本体１１と、携帯型電子装置１２と、広告サーバ２ａを区分して、上から下に時系列的にそれぞれの動作を示している。
【００３８】
このフロー図では、端末器本体１１は電源投入されると、通常通りにＯＳを読み込んで、そのＯＳを起動させているが、ＯＳを読み込む途中で、携帯型電子装置１２に制御され、広告サーバ２ａをアクセスして、広告情報３０ａをダウンロードし、また、その広告情報３０ａを含んだ認証画面３０を表示している（ステップ１０１〜１０４、１０９，１１０）。
【００３９】
そして、起動されたＯＳは、携帯型電子装置１２からログイン制御ソフトウェアを読み込んで実行し、そのログイン制御ソフトウェアは、成功した認証結果を受信すると、認証画面３０の表示を中止させて、ユーザをＯＳにログインさせている。このとき、ＯＳには、ログインに必要なユーザＩＤとパスワードがログイン制御ソフトウェアを通じて渡されている（ステップ１０５〜１０８）。
【００４０】
携帯型電子装置１２は、端末器本体１１が電源投入されると、接続端子Ｔ２から電源を受けて起動し、端末器本体１１の拡張インタフェース１１ｆが初期化されるの監視する。そして、その初期化を検出すると、端末器制御手段として次のような動作を開始する。すなわち、端末器本体１１のネットワークコントローラ１１ｑを制御して広告サーバ２ａに接続させ、そこからダウンロードした広告情報３０ａを組み込んだ認証画面３０を生成し、ビデオコントローラ１１ｎを制御して、その認証画面３０を液晶表示装置１１ｌに表示させる（ステップ２０１〜２０７）。また、認証画面３０の表示と同時に、生体認証手段１２ｃを起動して生体認証を開始させる（ステップ２０８）。このような端末器制御手段としての動作は、端末器本体１１が読み込んだＯＳによる拡張インタフェース１１ｆの初期化を検出したときに終了する。
【００４１】
広告サーバ２ａは、通信端末器１の接続要求を受付けると、広告情報３０ａを検索してダウンロードさせる（ステップ３０１，３０２）。
【００４２】
なお、ポータルサイト２では、通信端末器１の接続要求を受付けたときに、そのユーザのログインが完了しているので、ＯＳが起動したあと、ユーザがポータルサイト２に接続してきたときには、メール等のサービスを直ちに利用できる状態にしておくことも可能である。
【００４３】
なお、携帯型電子装置１２は、認証画面３０を表示させているときに、生体認証しないまま所定時間が経過すると、認証画面３０からスクリーンセーバ画面に切替えるようにしてもよい。更に、そのスクリーンセーバ画面で、ユーザが特定の広告情報をマウス１１ｊ等によって選択したときには、認証画面３０に戻すと共に、その選択を記憶しておき、生体認証したユーザをＯＳにログインさせ、その直後にＷＥＢブラウザを起動させて、その広告情報３０ａに関連するホームページを表示させてもよい。
【００４４】
なお、近時、生体認証手段を備えたノート型パーソナルコンピュータも市販されるようになってきたが、本発明は、そのようなパーソナルコンピュータや、ＰＤＡ、携帯電話などにも適用できる。すなわち、端末器本体１１と携帯型電子装置１２を一体として構成して、適所に生体認証手段１２ｃのセンサ部を設ければよい。このとき、通信端末器１のバイオスプログラム等を格納したＲＯＭ１１ｅを、本発明のための記憶手段として利用して、端末器制御ソフトウェア、ログイン制御ソフトウェア、認証画面データ、生体認証データ、製品ＩＤ等を記憶させ、更に、ＣＰＵ１１ａが、バスＢを通じて生体認証手段１２ｃを直接制御するような構成が望ましい。通常、ＲＯＭ１１ｅは、バイオスプログラムをアップデートさせるため、書換え可能なフラッシュＲＯＭで構成されているので、ユーザの指紋登録を行う導入ソフトウェアによって、認証用の生体データや、ＯＳへのログインに必要なユーザＩＤとパスワード等を記憶させることもできる。その上、ハードディスク１１ｇのようにクラッシュすることもないため、それらのデータを確実に保持できる。
【００４５】
このような構成では、端末器制御ソフトウェアは、通信端末器１が電源投入されたあと、ＣＰＵ１１ａによって実行され、ネットワークコントローラ１１ｑや、ビデオコントローラ１１ｎを制御して、広告サーバ２ａから広告情報３０ａをダウンロードして認証画面３０に含ませて表示させ、かつ、生体認証手段１２ｃを起動してユーザの生体認証を開始させてから、ＯＳを起動させる。そして、起動したＯＳによって、生体認証が終了するまでは、認証画面３０のままＯＳのログインを禁止し、生体認証したユーザをログインさせるログイン制御ソフトウェアが実行される。
【図面の簡単な説明】
【００４６】
【図１】本発明によるネットワーク広告表示システムの基本構成を示すブロック図。
【図２】（ａ）、（ｂ）はそれぞれ、携帯型電子装置の２通りの形状を示す外観図。
【図３】ポータルサイト２の構成の一例を示すブロック図。
【図４】（ａ）は通信端末器と広告サーバの連携した動作を説明するフロー図、（ｂ）は認証画面の例を示す図。
【符号の説明】
【００４７】
１      通信端末器
１１    端末器本体
１２    携帯型電子装置
１２ａ  インタフェース
１２ｃ  生体認証手段
１２ｅ  ＭＣＵ  
２ａ    広告サーバ
３０    認証画面
３０ａ  広告情報
Ｓ      ネットワーク広告表示システム
【図１】
2007178625.tif 000003
【図２】
2007178625.tif 000004
【図３】
2007178625.tif 000005
【図４】
2007178625.tif 000006